【手続補正書】
【提出日】平成29年10月25日(2017.10.25)
【手続補正１】
【補正対象書類名】特許請求の範囲
【補正対象項目名】全文
【補正方法】変更
【補正の内容】
【特許請求の範囲】
【請求項１】
可視光通信（ＶＬＣ）信号中で符号化された識別子を導出する方法であって、
受信デバイスの画像センサを介して、ＶＬＣ信号をキャプチャすること、前記ＶＬＣ信号は、前記識別子の複数のインスタンスを備え、前記識別子は、ＶＬＣ使用可能光源を識別する、と、
前記受信デバイスにおいて、少なくとも第１のビットのパターンおよび第２のビットのパターンを抽出すること、前記第１のビットのパターンは、前記識別子の第１のインスタンスの一部分を備え、前記第２のビットのパターンは、前記識別子の第２のインスタンスの一部分を備える、と、
前記受信デバイスにおいて、前記第１のビットのパターンおよび前記第２のビットのパターンを複数の識別子の異なる一部分と比較することと、
前記受信デバイスにおいて、前記第１のビットのパターンを複数の識別子の異なる一部分と比較することに少なくとも部分的に基づいて、前記ＶＬＣ信号中で符号化された前記識別子に対する適合候補として前記複数の識別子の第１のサブセットを識別することと、
前記受信デバイスにおいて、前記第２のビットのパターンを前記複数の識別子の前記サブセットの異なる一部分と比較することに少なくとも部分的に基づいて、前記ＶＬＣ信号中で符号化された前記識別子に対する適合候補として前記複数の識別子の第２のサブセットを、識別することと
を備える、方法。
【請求項２】
前記複数の識別子の前記第１のサブセットまたは前記第２のサブセットが前記複数の識別子のうちの１つを含むとき、前記ＶＬＣ信号中で符号化された前記識別子として前記複数の識別子のうちの前記１つを識別することをさらに備える、
請求項１に記載の方法。
【請求項３】
組み合わされたビットのパターンを形成するために、前記第２のビットのパターンを前記第１のビットのパターンと組み合わせること
をさらに備える、請求項１に記載の方法。
【請求項４】
前記組み合わされたビットのパターンを前記複数の識別子の前記第１のサブセットの異なる一部分と比較することと、
前記組み合わされたビットのパターンを前記複数の識別子の前記第１のサブセットの異なる一部分と前記比較することに少なくとも部分的に基づいて、前記ＶＬＣ信号中で符号化された前記識別子に対する適合候補として前記複数の識別子の第３のサブセットを識別することと
をさらに備える、請求項３に記載の方法。
【請求項５】
前記組み合わされたビットのパターンを前記複数の識別子の異なる一部分と比較することと、
前記組み合わされたビットのパターンを前記複数の識別子の異なる一部分と前記比較することに少なくとも部分的に基づいて、前記ＶＬＣ信号中で符号化された前記識別子に対する適合候補として前記複数の識別子の第３のサブセットを識別することと
をさらに備える、請求項３に記載の方法。
【請求項６】
前記ＶＬＣ信号をキャプチャすることは、ローリングシャッター画像センサを使用して、少なくとも１つの画像の照射された一部分として前記ＶＬＣ信号をキャプチャすることを備え、
前記第１のビットのパターンおよび前記第２のビットのパターンを抽出することは、前記少なくとも１つの画像からピクセル輝度値のパターンを抽出することを備える、
請求項１に記載の方法。
【請求項７】
前記ＶＬＣ信号をキャプチャすることは、前記ＶＬＣ信号中で符号化された同期信号をキャプチャすることを備え、前記方法は、
前記第１のビットのパターンおよび前記第２のビットのパターンに対する前記同期信号の関係に少なくとも部分的に基づいて、前記第１のビットのパターンおよび前記第２のビットのパターンを前記複数の識別子の異なる一部分と前記比較することを制限することをさらに備える、
請求項１に記載の方法。
【請求項８】
前記複数の識別子の各々は、異なるＶＬＣ使用可能光源に対応する、
請求項１に記載の方法。
【請求項９】
ある場所に関連付けられたデータベースから前記複数の識別子を受信することをさらに備える、
請求項１に記載の方法。
【請求項１０】
可視光通信（ＶＬＣ）信号中で符号化された識別子を導出するためのデバイスであって、
前記ＶＬＣ信号をキャプチャするための手段、前記ＶＬＣ信号は、前記識別子の複数のインスタンスを備え、前記識別子は、ＶＬＣ使用可能光源を識別する、と、
少なくとも第１のビットのパターンおよび第２のビットのパターンを抽出するための手段、前記第１のビットのパターンは、前記識別子の第１のインスタンスの一部分を備え、前記第２のビットのパターンは、前記識別子の第２のインスタンスの一部分を備える、と、
前記第１のビットのパターンおよび前記第２のビットのパターンを複数の識別子の異なる一部分と比較するための手段と、
前記第１のビットのパターンを複数の識別子の異なる一部分と比較することに少なくとも部分的に基づいて、前記ＶＬＣ信号中で符号化された前記識別子に対する適合候補として前記複数の識別子の第１のサブセットを識別するための手段と、
前記第２のビットのパターンを前記複数の識別子の前記サブセットの異なる一部分と比較することに少なくとも部分的に基づいて、前記ＶＬＣ信号中で符号化された前記識別子に対する適合候補として前記複数の識別子の第２のサブセットを識別するための手段と
を備える、デバイス。
【請求項１１】
前記複数の識別子の前記第１のサブセットまたは前記第２のサブセットが前記複数の識別子のうちの１つを含むとき、前記ＶＬＣ信号中で符号化された前記識別子として前記複数の識別子のうちの前記１つを識別するための手段をさらに備える、
請求項１０に記載のデバイス。
【請求項１２】
組み合わされたビットのパターンを形成するために、前記第２のビットのパターンを前記第１のビットのパターンと組み合わせるための手段
をさらに備える、請求項１０に記載のデバイス。
【請求項１３】
前記組み合わされたビットのパターンを前記複数の識別子の前記第１のサブセットの異なる一部分と比較するための手段と、
前記組み合わされたビットのパターンを前記複数の識別子の前記第１のサブセットの異なる一部分と前記比較することに少なくとも部分的に基づいて、前記ＶＬＣ信号中で符号化された前記識別子に対する適合候補として前記複数の識別子の第３のサブセットを識別するための手段と
をさらに備える、請求項１２に記載のデバイス。
【請求項１４】
前記組み合わされたビットのパターンを前記複数の識別子の異なる一部分と比較するための手段と、
前記組み合わされたビットのパターンを前記複数の識別子の異なる一部分と前記比較することに少なくとも部分的に基づいて、前記ＶＬＣ信号中で符号化された前記識別子に対する適合候補として前記複数の識別子の第３のサブセットを識別するための手段と
をさらに備える、請求項１２に記載のデバイス。
【請求項１５】
前記ＶＬＣ信号を前記キャプチャするための手段は、ローリングシャッター画像センサを使用して、少なくとも１つの画像の照射された一部分として前記ＶＬＣ信号をキャプチャすることを備え、
前記第１のビットのパターンおよび前記第２のビットのパターンを前記抽出するための手段は、前記少なくとも１つの画像からピクセル輝度値のパターンを抽出するための手段を備える、
請求項１０に記載のデバイス。
【請求項１６】
前記ＶＬＣ信号を前記キャプチャするための手段は、前記ＶＬＣ信号中で符号化された同期信号をキャプチャするための手段を備え、前記デバイスは、
前記第１のビットのパターンおよび前記第２のビットのパターンに対する前記同期信号の関係に少なくとも部分的に基づいて、前記第１のビットのパターンおよび前記第２のビットのパターンを前記複数の識別子の異なる一部分と前記比較することを制限するための手段をさらに備える、
請求項１０に記載のデバイス。
【請求項１７】
前記複数の識別子の各々は、異なるＶＬＣ使用可能光源に対応する、
請求項１０に記載のデバイス。
【請求項１８】
ある場所に関連付けられたデータベースから前記複数の識別子を受信するための手段をさらに備える、
請求項１０に記載のデバイス。
【請求項１９】
プロセッサと、前記プロセッサと電子通信状態にあるメモリと、前記メモリ中に記憶された命令とを備える、可視光通信（ＶＬＣ）信号中で符号化された識別子を導出するためのデバイスであって、前記命令は、
前記ＶＬＣ信号をキャプチャすること、前記ＶＬＣ信号は、前記識別子の複数のインスタンスを備え、前記識別子は、ＶＬＣ使用可能光源を識別する、と、
少なくとも第１のビットのパターンおよび第２のビットのパターンを抽出すること、前記第１のビットのパターンは、前記識別子の第１のインスタンスの一部分を備え、前記第２のビットのパターンは、前記識別子の第２のインスタンスの一部分を備える、と、
前記第１のビットのパターンおよび前記第２のビットのパターンを複数の識別子の異なる一部分と比較することと、
前記第１のビットのパターンを複数の識別子の異なる一部分と比較することに少なくとも部分的に基づいて、前記ＶＬＣ信号中で符号化された前記識別子に対する適合候補として前記複数の識別子の第１のサブセットを識別することと、
前記第２のビットのパターンを前記複数の識別子の前記サブセットの異なる一部分と比較することに少なくとも部分的に基づいて、前記ＶＬＣ信号中で符号化された前記識別子に対する適合候補として前記複数の識別子の第２のサブセットを識別することと
を行うように前記プロセッサによって実行可能である、デバイス。
【請求項２０】
前記命令は、
前記複数の識別子の前記第１のサブセットまたは前記第２のサブセットが前記複数の識別子のうちの１つを含むとき、前記ＶＬＣ信号中で符号化された前記識別子として前記複数の識別子のうちの前記１つを識別するように前記プロセッサによって実行可能である、
請求項１９に記載のデバイス。
【請求項２１】
前記ＶＬＣ信号の前記第１の部分をキャプチャするように前記プロセッサによって実行可能である前記命令は、前記ＶＬＣ信号中で符号化された同期信号をキャプチャするように前記プロセッサによって実行可能である命令を備え、前記命令は、
前記第１のビットのパターンおよび前記第２のビットのパターンに対する前記同期信号の関係に少なくとも部分的に基づいて、前記第１のビットのパターンおよび前記第２のビットのパターンを前記複数の識別子の異なる一部分と前記比較することを制限するように前記プロセッサによって実行可能である、
請求項１９に記載のデバイス。
【請求項２２】
前記命令は、
組み合わされたビットのパターンを形成するために、前記第２のビットのパターンを前記第１のビットのパターンと組み合わせること
を行うように前記プロセッサによって実行可能である、請求項１９に記載のデバイス。
【請求項２３】
前記命令は、
前記組み合わされたビットのパターンを前記複数の識別子の前記第１のサブセットの異なる一部分と比較することと、
前記組み合わされたビットのパターンを前記複数の識別子の前記第１のサブセットの異なる一部分と前記比較することに少なくとも部分的に基づいて、前記ＶＬＣ信号中で符号化された前記識別子に対する適合候補として前記複数の識別子の第３のサブセットを識別することと
を行うように前記プロセッサによって実行可能である、請求項２２に記載のデバイス。
【請求項２４】
前記命令は、
前記組み合わされたビットのパターンを前記複数の識別子の異なる一部分と比較することと、
前記組み合わされたビットのパターンを前記複数の識別子の異なる一部分と前記比較することに少なくとも部分的に基づいて、前記ＶＬＣ信号中で符号化された前記識別子に対する適合候補として前記複数の識別子の第３のサブセットを識別することと
を行うように前記プロセッサによって実行可能である、請求項２２に記載のデバイス。
【請求項２５】
前記コードは、
前記組み合わされたビットのパターンを前記複数の識別子の前記第１のサブセットの異なる一部分と比較することと、
前記組み合わされたビットのパターンを前記複数の識別子の前記第１のサブセットの異なる一部分と前記比較することに少なくとも部分的に基づいて、前記ＶＬＣ信号中で符号化された前記識別子に対する適合候補として前記複数の識別子の第３のサブセットを識別することと
を行うように前記プロセッサによって実行可能である、請求項２４に記載のコンピュータ可読媒体。
【請求項２６】
前記コードは、
前記組み合わされたビットのパターンを前記複数の識別子の異なる一部分と比較することと、
前記組み合わされたビットのパターンを前記複数の識別子の異なる一部分と前記比較することに少なくとも部分的に基づいて、前記ＶＬＣ信号中で符号化された前記識別子に対する適合候補として前記複数の識別子の第３のサブセットを識別することと
を行うように前記プロセッサによって実行可能である、請求項２４に記載のコンピュータ可読媒体。
【請求項２７】
可視光通信（ＶＬＣ）信号中で符号化された識別子を導出するためのコンピュータ実行可能コードを記憶する非一時的コンピュータ可読媒体であって、前記コードは、
前記ＶＬＣ信号をキャプチャすること、前記ＶＬＣ信号は、前記識別子の複数のインスタンスを備え、前記識別子は、ＶＬＣ使用可能光源を識別する、と、
少なくとも第１のビットのパターンおよび第２のビットのパターンを抽出すること、前記第１のビットのパターンは、前記識別子の第１のインスタンスの一部分を備え、前記第２のビットのパターンは、前記識別子の第２のインスタンスの一部分を備える、と、
前記第１のビットのパターンおよび前記第２のビットのパターンを複数の識別子の異なる一部分と比較することと、
前記第１のビットのパターンを複数の識別子の異なる一部分と比較することに少なくとも部分的に基づいて、前記ＶＬＣ信号中で符号化された前記識別子に対する適合候補として前記複数の識別子の第１のサブセットを識別することと、
前記第２のビットのパターンを前記複数の識別子の前記サブセットの異なる一部分と比較することに少なくとも部分的に基づいて、前記ＶＬＣ信号中で符号化された前記識別子に対する適合候補として前記複数の識別子の第２のサブセットを識別することと
を行うようにプロセッサによって実行可能である、非一時的コンピュータ可読媒体。
【請求項２８】
前記コードは、
前記複数の識別子の前記第１のサブセットまたは前記第２のサブセットが前記複数の識別子のうちの１つを含むとき、前記ＶＬＣ信号中で符号化された前記識別子として前記複数の識別子のうちの前記１つを識別するように前記プロセッサによって実行可能である、
請求項２７に記載のコンピュータ可読媒体。
【請求項２９】
前記デバイスに、前記ＶＬＣ信号の前記第１の部分をキャプチャさせるように前記プロセッサによって実行可能である前記コードは、前記デバイスに、前記ＶＬＣ信号中で符号化された同期信号をキャプチャさせるように前記プロセッサによって実行可能であるコードを備え、前記コードは、
前記第１のビットのパターンおよび前記第２のビットのパターンに対する前記同期信号の関係に少なくとも部分的に基づいて、前記第１のビットのパターンおよび前記第２のビットのパターンを前記複数の識別子の異なる一部分と前記比較することを制限するように前記プロセッサによって実行可能である、
請求項２７に記載のコンピュータ可読媒体。
【請求項３０】
前記コードは、
組み合わされたビットのパターンを形成するために、前記第２のビットのパターンを前記第１のビットのパターンと組み合わせること
を行うように前記プロセッサによって実行可能である、請求項２７に記載のコンピュータ可読媒体。